(57)【特許請求の範囲】
【請求項１】
ワイヤレス通信における複数の送信モードをサポートするために広帯域チャネル内にコモンモード・チャネルを取り入れるための方法であって、前記広帯域チャネルは複数の狭帯域サブチャネルを含んでおり、前記コモンモード・チャネルは前記複数の送信モードをサポートするために前記複数の狭帯域サブチャネルを利用し、前記方法は、
第１のピコネット内でデータを通信するために前記広帯域チャネルを利用することであり、前記広帯域チャネルは前記第１のピコネットを具備する複数のピコネットによる使用に割り当てられる、ことと、
制御情報を通信するために、前記広帯域チャネルに含まれる前記複数の狭帯域サブチャネルからの第１の狭帯域サブチャネルを利用することであり、前記第１の狭帯域サブチャネルは前記第１のピコネットにおいて制御情報を通信するために専用である、ことと
を具備する、方法。
【請求項２】
前記広帯域チャネルに含まれる前記複数の狭帯域サブチャネルからの各狭帯域サブチャネルは、前記複数のピコネットのうちのただ１つのピコネットによる使用のために専用である、請求項１の方法。
【請求項３】
前記広帯域チャネルに含まれる前記第１の狭帯域サブチャネルは、論理チャネルを具備し、
前記第１の狭帯域サブチャネルを利用することは、ビーコニング、アソシエーション、チャネル時間割り当て（ＣＴＡ）及びメディア・アクセス制御（ＭＡＣ）コマンド・メッセージを通信することのために、前記第１のピコネットにおけるピコネット・コントローラ（ＰＮＣ）によって前記論理チャネルを利用することを具備する、
請求項１の方法。
【請求項４】
前記広帯域チャネルに含まれる前記第１の狭帯域サブチャネルは、論理チャネルを具備し、
前記第１の狭帯域サブチャネルを利用することは、アソシエーション、チャネル時間割り当て（ＣＴＡ）期間をリクエストすること、及び前記第１のピコネットにおけるピコネット・コントローラ（ＰＮＣ）と信号で通信することのために、前記第１のピコネットにおける装置によって前記論理チャネルを利用することを具備する、
請求項１の方法。
【請求項５】
前記装置によって前記論理チャネルを利用することは、単一キャリア・モードを使用して、前記ＣＴＡ期間内に前記第１のピコネットにおける他の装置と通信することを具備する、請求項４の方法。
【請求項６】
前記装置によって前記論理チャネル利用することは、直交周波数分割多重（ＯＦＤＭ）モードを使用して、前記ＣＴＡ期間内に前記第１のピコネットにおける他の装置と通信することを具備する、請求項４の方法。
【請求項７】
前記広帯域チャネルに含まれる前記第１の狭帯域サブチャネルは、論理チャネルを具備し、
前記第１の狭帯域サブチャネルを利用することは、前記論理チャネルを通じて、プリアンブル・シーケンス、ヘッダ及びシグナリング・データを具備するフレームを送信することを具備する、
請求項１の方法。
【請求項８】
前記プリアンブル・シーケンスは、チャネル推定シーケンス（ＣＥＳ）、スタート・フレーム・デリミッタ（ＳＦＤ）、及び同期（ＳＹＮＣ）シーケンスを具備する、請求項７の方法。
【請求項９】
前記ＳＦＤシーケンス及び前記ＳＹＮＣシーケンスは、拡散コードによって拡散される、請求項８の方法。
【請求項１０】
前記ヘッダ及び前記シグナリング・データは、拡散コードによって拡散される、請求項７の方法。
【請求項１１】
前記ヘッダ及び前記シグナリング・データは、ブロック・コードを用いてエンコードされる、請求項７の方法。
【請求項１２】
前記広帯域チャネルは、およそ２１６０ＭＨｚの帯域幅を持ち、５個の狭帯域サブチャネルを具備し、
各狭帯域サブチャネルは、およそ４３２ＭＨｚの前記広帯域チャネル内の分離を持つ、
請求項１の方法。
【請求項１３】
前記広帯域チャネルは、およそ２１６０ＭＨｚの帯域幅を持ち、３個の狭帯域サブチャネルを具備し、
各狭帯域サブチャネルは、およそ２１６ＭＨｚの３ｄＢ帯域を持つ、
請求項１の方法。
【請求項１４】
ワイヤレス通信における複数の送信モードをサポートするために広帯域チャネル内にコモンモード・チャネルを取り入れるための装置であって、前記広帯域チャネルは複数の狭帯域サブチャネルを含んでおり、前記コモンモード・チャネルは前記複数の送信モードをサポートするために前記複数の狭帯域サブチャネルを利用し、前記装置は、
第１のピコネット内でデータを通信するために前記広帯域チャネルを利用するように構成され、前記広帯域チャネルは前記第１のピコネットを具備する複数のピコネットによる使用に割り当てられる、回路と、
制御情報を通信するために、前記広帯域チャネルに含まれる前記複数の狭帯域サブチャネルからの第１の狭帯域サブチャネルを利用するように構成され、前記第１の狭帯域サブチャネルは前記第１のピコネットにおいて制御情報を通信するために専用である、回路と
を具備する、装置。
【請求項１５】
前記広帯域チャネルに含まれる前記複数の狭帯域サブチャネルからの各狭帯域サブチャネルは、前記複数のピコネットのうちのただ１つのピコネットによる使用のために専用である、請求項１４の装置。
【請求項１６】
前記広帯域チャネルに含まれる前記第１の狭帯域サブチャネルは、論理チャネルを具備し、
前記第１の狭帯域サブチャネルを利用するように構成された前記回路は、ビーコニング、アソシエーション、チャネル時間割り当て（ＣＴＡ）及びメディア・アクセス制御（ＭＡＣ）コマンド・メッセージを通信することのために、前記第１のピコネットにおける前記装置によって前記論理チャネルを利用するように構成された回路を具備する、
請求項１４の装置。
【請求項１７】
前記広帯域チャネルに含まれる前記第１の狭帯域サブチャネルは、論理チャネルを具備し、
前記第１の狭帯域サブチャネルを利用するように構成された前記回路は、アソシエーション、チャネル時間割り当て（ＣＴＡ）期間をリクエストすること、及び前記第１のピコネットにおけるピコネット・コントローラ（ＰＮＣ）と信号で通信することのために、前記第１のピコネットにおける前記装置によって前記論理チャネルを利用するように構成された回路を具備する、
請求項１４の装置。
【請求項１８】
前記装置によって前記論理チャネルを利用するように構成された前記回路は、単一キャリア・モードを使用して、前記ＣＴＡ期間内に前記第１のピコネットにおける他の装置と通信するように構成された回路を具備する、請求項１７の装置。
【請求項１９】
前記装置によって前記論理チャネル利用するように構成された前記回路は、直交周波数分割多重（ＯＦＤＭ）モードを使用して、前記ＣＴＡ期間内に前記第１のピコネットにおける他の装置と通信するように構成された回路を具備する、請求項１７の装置。
【請求項２０】
前記広帯域チャネルに含まれる前記第１の狭帯域サブチャネルは、論理チャネルを具備し、
前記第１の狭帯域サブチャネルを利用するように構成された回路は、前記論理チャネルを通じて、プリアンブル・シーケンス、ヘッダ及びシグナリング・データを具備するフレームを送信するように構成されたトランスミッタを具備する、
請求項１４の装置。
【請求項２１】
前記プリアンブル・シーケンスは、チャネル推定シーケンス（ＣＥＳ）、スタート・フレーム・デリミッタ（ＳＦＤ）、及び同期（ＳＹＮＣ）シーケンスを具備する、請求項２０の装置。
【請求項２２】
前記ＳＦＤシーケンス及び前記ＳＹＮＣシーケンスは、拡散コードによって拡散される、請求項２１の装置。
【請求項２３】
前記ヘッダ及び前記シグナリング・データは、拡散コードによって拡散される、請求項２０の装置。
【請求項２４】
前記ヘッダ及び前記シグナリング・データは、ブロック・コードを用いてエンコードされる、請求項２０の装置。
【請求項２５】
前記広帯域チャネルは、およそ２１６０ＭＨｚの帯域幅を持ち、５個の狭帯域サブチャネルを具備し、
各狭帯域サブチャネルは、およそ４３２ＭＨｚの前記広帯域チャネル内の分離を持つ、
請求項１４の装置。
【請求項２６】
前記広帯域チャネルは、およそ２１６０ＭＨｚの帯域幅を持ち、３個の狭帯域サブチャネルを具備し、
各狭帯域サブチャネルは、およそ２１６ＭＨｚの３ｄＢ帯域を持つ、
請求項１４の装置。
【請求項２７】
ワイヤレス通信における複数の送信モードをサポートするために広帯域チャネル内にコモンモード・チャネルを取り入れるための装置であって、前記広帯域チャネルは複数の狭帯域サブチャネルを含んでおり、前記コモンモード・チャネルは前記複数の送信モードをサポートするために前記複数の狭帯域サブチャネルを利用し、前記装置は、
第１のピコネット内でデータを通信するために前記広帯域チャネルを利用し、前記広帯域チャネルは前記第１のピコネットを具備する複数のピコネットによる使用に割り当てられる、ための手段と、
制御情報を通信するために、前記広帯域チャネルに含まれる前記複数の狭帯域サブチャネルからの第１の狭帯域サブチャネルを利用し、前記第１の狭帯域サブチャネルは前記第１のピコネットにおいて制御情報を通信するために専用である、ための手段と
を具備する、装置。
【請求項２８】
前記広帯域チャネルに含まれる前記複数の狭帯域サブチャネルからの各狭帯域サブチャネルは、前記複数のピコネットのうちのただ１つのピコネットによる使用のために専用である、請求項２７の装置。
【請求項２９】
前記広帯域チャネルに含まれる前記第１の狭帯域サブチャネルは、論理チャネルを具備し、
前記第１の狭帯域サブチャネルを利用するための前記手段は、ビーコニング、アソシエーション、チャネル時間割り当て（ＣＴＡ）及びメディア・アクセス制御（ＭＡＣ）コマンド・メッセージを通信することのために、前記第１のピコネットにおける前記装置によって前記論理チャネルを利用するための手段を具備する、
請求項２７の装置。
【請求項３０】
前記広帯域チャネルに含まれる前記第１の狭帯域サブチャネルは、論理チャネルを具備し、
前記第１の狭帯域サブチャネルを利用するための前記手段は、アソシエーション、チャネル時間割り当て（ＣＴＡ）期間をリクエストすること、及び前記第１のピコネットにおけるピコネット・コントローラ（ＰＮＣ）と信号で通信することのために、前記第１のピコネットにおける装置によって前記論理チャネルを利用するための手段を具備する、
請求項２７の装置。
【請求項３１】
前記装置によって前記論理チャネルを利用するための前記手段は、単一キャリア・モードを使用して、前記ＣＴＡ期間内に前記第１のピコネットにおける他の装置と通信するための手段を具備する、請求項３０の装置。
【請求項３２】
前記装置によって前記論理チャネル利用するための前記手段は、直交周波数分割多重（ＯＦＤＭ）モードを使用して、前記ＣＴＡ期間内に前記第１のピコネットにおける他の装置と通信するための手段を具備する、請求項３０の装置。
【請求項３３】
前記広帯域チャネルに含まれる前記第１の狭帯域サブチャネルは、論理チャネルを具備し、
前記第１の狭帯域サブチャネルを利用するための前記手段は、前記論理チャネルを通じて、プリアンブル・シーケンス、ヘッダ及びシグナリング・データを具備するフレームを送信するための手段を具備する、
請求項２７の装置。
【請求項３４】
前記プリアンブル・シーケンスは、チャネル推定シーケンス（ＣＥＳ）、スタート・フレーム・デリミッタ（ＳＦＤ）、及び同期（ＳＹＮＣ）シーケンスを具備する、請求項３３の装置。
【請求項３５】
前記ＳＦＤシーケンス及び前記ＳＹＮＣシーケンスは、拡散コードによって拡散される、請求項３４の装置。
【請求項３６】
前記ヘッダ及び前記シグナリング・データは、拡散コードによって拡散される、請求項３３の装置。
【請求項３７】
前記ヘッダ及び前記シグナリング・データは、ブロック・コードを用いてエンコードされる、請求項３３の装置。
【請求項３８】
前記広帯域チャネルは、およそ２１６０ＭＨｚの帯域幅を持ち、５個の狭帯域サブチャネルを具備し、
各狭帯域サブチャネルは、およそ４３２ＭＨｚの前記広帯域チャネル内の分離を持つ、
請求項２７の装置。
【請求項３９】
前記広帯域チャネルは、およそ２１６０ＭＨｚの帯域幅を持ち、３個の狭帯域サブチャネルを具備し、
各狭帯域サブチャネルは、およそ２１６ＭＨｚの３ｄＢ帯域を持つ、
請求項２７の装置。
【請求項４０】
ワイヤレス通信における複数の送信モードをサポートするために広帯域チャネル内にコモンモード・チャネルを取り入れるためのコンピュータ可読記憶媒体であって、前記広帯域チャネルは複数の狭帯域サブチャネルを含んでおり、前記コモンモード・チャネルは前記複数の送信モードをサポートするために前記複数の狭帯域サブチャネルを利用し、前記コンピュータ可読記憶媒体は、
第１のピコネット内でデータを通信するために前記広帯域チャネルを利用し、前記広帯域チャネルは前記第１のピコネットを具備する複数のピコネットによる使用に割り当てられる、ことと、
制御情報を通信するために、前記広帯域チャネルに含まれる前記複数の狭帯域サブチャネルからの第１の狭帯域サブチャネルを利用し、前記第１の狭帯域サブチャネルは前記第１のピコネットにおいて制御情報を通信するために専用である、ことと
を実行可能な命令を具備する、コンピュータ可読記憶媒体。
【請求項４１】
ワイヤレス通信における複数の送信モードをサポートするために広帯域チャネル内にコモンモード・チャネルを取り入れるためのアクセスポイントであって、前記広帯域チャネルは複数の狭帯域サブチャネルを含んでおり、前記コモンモード・チャネルは前記複数の送信モードをサポートするために前記複数の狭帯域サブチャネルを利用し、前記アクセスポイントは、
少なくとも一つのアンテナと、
第１のピコネット内で、前記少なくとも一つのアンテナを介してデータを送信するために前記広帯域チャネルを利用するように構成され、前記広帯域チャネルは前記第１のピコネットを具備する複数のピコネットによる使用に割り当てられる、トランスミッタと、
前記少なくとも一つのアンテナを介して制御情報を送信するために、前記広帯域チャネルに含まれる前記複数の狭帯域サブチャネルからの第１の狭帯域サブチャネルを利用するように構成され、前記第１の狭帯域サブチャネルは前記第１のピコネットにおいて制御情報を通信するために専用である、回路と
を具備する、アクセスポイント。
【請求項４２】
ワイヤレス通信における複数の送信モードをサポートするために広帯域チャネル内にコモンモード・チャネルを取り入れるためのアクセス端末であって、前記広帯域チャネルは複数の狭帯域サブチャネルを含んでおり、前記コモンモード・チャネルは前記複数の送信モードをサポートするために前記複数の狭帯域サブチャネルを利用し、前記アクセス端末は、
少なくとも一つのアンテナと、
第１のピコネット内で、前記少なくとも一つのアンテナを介してデータを受信するために前記広帯域チャネルを利用するように構成され、前記広帯域チャネルは前記第１のピコネットを具備する複数のピコネットによる使用に割り当てられる、レシーバと、
前記少なくとも一つのアンテナを介して制御情報を受信するために、前記広帯域チャネルに含まれる前記複数の狭帯域サブチャネルからの第１の狭帯域サブチャネルを利用するように構成され、前記第１の狭帯域サブチャネルは前記第１のピコネットにおいて制御情報を通信するために専用である、回路と
を具備する、アクセス端末。
【発明の詳細な説明】
【優先権の主張】
【０００１】
[３５Ｕ．Ｓ．Ｃ．§１１９の下の優先権の主張]
特許のための本願は、２００８年８月２８日に出願され、これの譲受人に譲受され、この結果参照されることによって明らかにここに組み込まれる仮出願番号第６１／０９２，６１３号に対する優先権を主張する。
【背景】
【０００２】
分野
本願のある局面は、一般に、ワイヤレス通信、特に、マルチモード・オペレーションをサポートするために、広帯域チャネルをコモンモード・チャネルへ分割（パーティショニング）する方法、に関する。
【０００３】
背景
ＵＷＢ（ultra-wideband）物理レイヤ（ＰＨＹ）は、ミリメートル波通信(例えば、およそ６０ＧＨｚの搬送波周波数を用いる通信)のために使用されることができる。シングル搬送波及び直交周波数分割多重（ＯＦＤＭ）変調をサポートするデュアルモード・ＵＷＢ・ＰＨＹは、コモンモードを使用することができる。コモンモードは、ビーコニング、ネットワーク制御シグナリング、ベースレート・データ通信のために、シングル搬送波及びＯＦＤＭ装置の双方によって使用されるシングル搬送波モードである。コモンモードは、典型的には、異なる装置と異なるネットワークとの間の相互運用性のために必要とされる。
【０００４】
ＩＥＥＥ（Institute of Electrical and Electronics Engineers）８０２．１５．３  タスクグループｃは、２００５年３月に形成された。ＩＥＥＥ８０２．１５．３ｃは、既存の８０２．１５．３  ワイヤレス・パーソナル・ネットワーク（ＷＰＡＮ）標準８０２．１５．３−２００３に対する代案として、ミリメートル波ベースのＰＨＹをサポートするように意図される。このミリメートル波ＷＰＡＮは、ＦＣＣ（Federal Communications Commission）によって指定された５７−６４ＧＨｚのライセンスされていないバンドを含む、新しくクリアなバンドにおいて動作すべきである。ミリメートル波ＷＰＡＮは、ＷＰＡＮの８０２．１５のファミリーの中の他のすべてのマイクロ波システムとの高い共存(すなわち、物理的間隔を閉じる)を許可するべきである。さらに、ミリメートル波ＷＰＡＮは、高速インターネット・アクセス、ストリーム・ビデオなどのような高データレート・アプリケーション(すなわち、少なくとも１Ｇｂｐｓデータレート)をサポートするべきである。２Ｇｂｐｓを超過する非常に高速なデータレートは、リアルタイムＨＤＴＶ（High Definition Television）ビデオストリームのような、同時依存アプリケーションに提供されてもよい。
【０００５】
ＩＥＥＥ８０２．１５．３ｃの仕様は、４つの広帯域チャネルを備え、それは４つのＰＮＣ（ピコネット・コントローラ）が同時に動作することを可能にする。広帯域チャネルは、特定のＰＮＣによって動作されるデータ通信のために利用されることができる。他方で、マルチモード・オペレーションのためにコモンモード・チャネルとして利用されるチャネルは、ＩＥＥＥ８０２．１５．３ｃ標準によってまだ特定されていない。
【０００６】
したがって、マルチモード・オペレーションをサポートするために既存のＩＥＥＥ８０２．１５．３ｃの広帯域チャネル内にコモンモード・チャネルを導入する方法のための技術に必要がある。
【概要】
【０００７】
ある局面は、ワイヤレス通信のための方法を提供する。その方法は、概して、第１のピコネット内のデータを通信するための広帯域チャネルを利用することであり、広帯域チャネルは第１のピコネットを具備する複数のピコネットによる使用に割り当てられる、ことと、制御情報を通信するために、広帯域チャネルに含まれる狭帯域サブチャネルを利用することであり、狭帯域サブチャネルは第１のピコネットにおける制御情報を通信するためにささげられる、こととを含む。
【０００８】
ある局面は、ワイヤレス通信のための装置を提供する。その装置は、概して、第１のピコネット内のデータを通信するための広帯域チャネルを利用するように構成され、広帯域チャネルは第１のピコネットを具備する複数のピコネットによる使用に割り当てられる、回路と、制御情報を通信するために、広帯域チャネルに含まれる狭帯域サブチャネルを利用するように構成され、狭帯域サブチャネルは第１のピコネットにおける制御情報を通信するためにささげられる、回路とを含む。
【０００９】
ある局面は、ワイヤレス通信のための装置を提供する。その装置は、概して、第１のピコネット内のデータを通信するための広帯域チャネルを利用し、広帯域チャネルは第１のピコネットを具備する複数のピコネットによる使用に割り当てられる、ための手段と、制御情報を通信するために、広帯域チャネルに含まれる狭帯域サブチャネルを利用し、狭帯域サブチャネルは第１のピコネットにおける制御情報を通信するためにささげられる、ための手段とを含む。
【００１０】
ある局面は、ワイヤレス通信のためのコンピュータ・プログラム・プロダクトを提供する。コンピュータ・プログラム・プロダクトは、第１のピコネット内でデータを通信するための広帯域チャネルを利用し、広帯域チャネルは第１のピコネットを具備する複数のピコネットによる使用に割り当てられる、ことと、制御情報を通信するために、広帯域チャネルに含まれる狭帯域サブチャネルを利用し、狭帯域サブチャネルは第１のピコネットにおける制御情報を通信するためにささげられる、ことと、を実行可能な命令を持つエンコードされたコンピュータ読み出し可能媒体を含む。
【００１１】
ある局面は、アクセスポイントを提供する。アクセスポイントは、概して、少なくとも一つのアンテナと、第１のピコネット内で、少なくとも一つのアンテナを介してデータを送信するための広帯域チャネルを利用するように構成され、広帯域チャネルは第１のピコネットを具備する複数のピコネットによる使用に割り当てられる、トランスミッタと、少なくとも一つのアンテナを介して制御情報を送信するために、広帯域チャネルに含まれる狭帯域サブチャネルを利用するように構成され、狭帯域サブチャネルは第１のピコネットにおける制御情報を通信するためにささげられる、回路と、を含む。
【００１２】
ある局面は、アクセス端末を提供する。アクセス端末は、概して、少なくとも一つのアンテナと、第１のピコネット内で、少なくとも一つのアンテナを介してデータを受信するための広帯域チャネルを利用するように構成され、広帯域チャネルは第１のピコネットを具備する複数のピコネットによる使用に割り当てられる、レシーバと、少なくとも一つのアンテナを介して制御情報を受信するために、広帯域チャネルに含まれる狭帯域サブチャネルを利用するように構成され、狭帯域サブチャネルは第１のピコネットにおける制御情報を通信するためにささげられる、回路と、を含む。
【図面の簡単な説明】
【００１３】
そのため、本開示の上記の特徴が、詳細に、より特別な記述で、先において簡潔に要約されて、理解される様式が、局面の参照によって表されるとしてもよく、それらのうちのいくらかは添付された図面で例証される。しかしながら、その記述が他の等価で有効な局面を認めるために、添付された図面がこの開示のある典型的な局面のみを例示し、それによりその範囲を制限して考慮されないことは、注目されるだろう。
【図１】図１は、本開示のある局面に係る、ワイヤレス通信システムの例を示す。
【図２】図２は、本開示のある局面に係る、ワイヤレス装置に利用されることができる各種のコンポーネントを例示する。
【図３】図３は、本開示のある局面に係る、ワイヤレス通信システムで使用されることができるトランスミッタの例及びレシーバの例を示す。
【図４】図４は、本開示のある局面に係る、ＩＥＥＥ８０２．１５．３ｃ標準に準拠されるそれぞれ４つの広帯域チャネルに対する低、中、高周波数を例示する。
【図５】図５は、本開示のある局面に係る、ＩＥＥＥ８０２．１５．３ｃ標準に準拠される広帯域チャネルの周波数割り当てを例示する。
【図６】図６は、本開示のある局面に係る、広帯域チャネルを狭帯域サブチャネルに分割し、狭帯域サブチャネルを利用するためのオペレーションの例を示す。
【図６Ａ】図６Ａは、図６に例示されるオペレーションを実行可能なコンポーネントの例を示す。
【図７】図７は、本開示のある局面に係る、複数の広帯域チャネル内の論理チャネルの周波数割り当ての例を示す。
【図８】図８は、本開示のある局面に係る、１広帯域チャネル内の狭帯域サブチャネルに対する周波数割り当ての例を示す。
【図９Ａ】図９Ａは、本開示のある局面に係る、低データレート（ＬＤＲ）論理チャネルのフレーム・フォーマット及びＬＤＲフレーム内のプリアンブル・フォーマットを例示する。
【図９Ｂ】図９Ｂは、本開示のある局面に係る、低データレート（ＬＤＲ）論理チャネルのフレーム・フォーマット及びＬＤＲフレーム内のプリアンブル・フォーマットを例示する。
【図１０】図１０は、本開示のある局面に係る、ＬＤＲフレームからのプリアンブル・シーケンスの自己相関関数を例示する。
【図１１】図１１は、本開示のある局面に係る、ＬＤＲフレームからの整合的に検出されたスタート・フレーム・デリミッタ（ＳＦＤ）及び差異的に検出されたＳＦＤに対する相関を例示する。
【詳細な説明】
【００１４】
本開示の各種の局面は、添付の図面の参照を用いてより十分に以下に記述される。しかしながら、この開示は、様々な異なる形式で具体化されることができ、この開示にわたって示される任意の特定の構造又は機能に限定されるように解釈されるべきでない。むしろ、この開示が詳細及び完全になり、当業者に開示の範囲を十分に伝えるように、これらの局面が提供される。ここにおける教示に基づいて、当業者は、開示の範囲が、任意の他の開示の局面と関係なく実装されても、組み合わされても、ここに開示される任意の開示の局面をカバーすることが意図されることを、認識すべきである。例えば、ここに述べられたかなりの数の局面を使用して、装置が実装され、又は、方法が実施されるとしてもよい。さらに、開示の範囲は、ここに述べられる開示の各種の局面に加えて又はの他に、他の構造、機能性、又は、構造及び機能性を使用して、実施されるような装置又は方法をカバーすることが意図される。ここに開示される開示の任意の局面が請求項の１以上の要素によって具体化できることは、理解されるべきである。
【００１５】
用語「「典型的」は「例、実例、例証として役立つ」ことを意味するとしてここで使用される。「典型的」としてここに記述されるいくつかの局面は、他の局面よりも好ましい又は有利と解釈されることを必要としない。
【００１６】
特定の局面がここに記述されるが、これらの局面の多くの変化及び置換は開示の範囲内にある。好ましい局面のいくつかの利益及び利点が言及されるが、開示の範囲は、特定の利益、用途又は目的に限定されるようには意図されない。むしろ、開示の局面は、異なるワイヤレス技術、システム構成、ネットワーク、及び伝送プロトコルに広く適用可能であるように意図され、それらのうちのいくらかは、図、および好ましい局面の以下の記述における例によって例示される。詳細な記述及び図面は、限定よりはむしろ単に開示の例であり、開示の範囲は、添付された請求項とその等価物によって定義される。
【００１７】
ワイヤレス通信システムの例
ここに記述される技術は、シングル搬送波伝送に基づく通信システムを含む、各種の広帯域ワイヤレス通信システムに使用されるとしてもよい。ここに開示される局面は、ミリメートル波信号を含むＵＷＢ（Ultra Wide Band）信号を使用するシステムに有利としてもよい。しかしながら、本開示は、他のコード化された信号が同様の利点から利益を得てもよいので、そのようなシステムに限定されることを意図されない。
【００１８】
ここでの教示は、各種の有線又はワイヤレス装置（例えばノード）に組み込まれる（例えば、実装される又は実行される）としてもよい。いくつかの局面では、ここでの教示にしたがって実装されるノードが、アクセスポイント又はアクセス端末を含むとしてもよい。
【００１９】
アクセスポイント（「ＡＰ」）は、ＮｏｄｅＢ、無線ネットワーク・コントローラ（「ＲＮＣ」）、ｅＮｏｄｅＢ、基地局コントローラ（「ＢＳＣ」）、ベース・トランシーバ・ステーション（「ＢＴＳ」）、基地局（「ＢＳ」）、トランシーバ・ファンクション（「ＴＦ」）、無線ルータ、無線トランシーバ、ベーシック・サービス・セット（「ＢＳＳ」）、拡張サービスセット（「ＥＳＳ」）、無線基地局（「ＲＢＳ」）、又はいくつかの他の技術、を含む、として実装され、又は、として知られる、としてもよい。
【００２０】
アクセス端末（「ＡＴ」）は、アクセス端末、加入者局、加入者ユニット、モバイル局、遠隔局、ユーザ端末、ユーザ・エージェント、ユーザ装置、ユーザ機器、又はいくつかの他の技術、を含む、として実装され、又は、として知られる、としてもよい。いくつかの実装において、アクセス端末は、携帯電話、コードレス電話機、セッション開始プロトコル(「ＳＩＰ」)電話、ワイヤレス・ローカル・ループ(「ＷＬＬ」)ステーション、携帯情報端末(「ＰＤＡ」)、ワイヤレス接続能力を持つハンドヘルド装置、又はワイヤレス・モデムに接続されるいくつかの他の適切な処理装置を含むとしてもよい。したがって、ここに教示される１以上の局面は、電話(例えば携帯電話又はスマートフォン)、コンピュータ(例えばラップトップ)、携帯通信装置、ポータブル・コンピューティング装置(例えばパーソナル・データ・アシスタント)、エンターテイメント装置(例えば音楽又はビデオ装置、又は衛星ラジオ)、グローバル・ポジショニング・システム装置、又は、ワイヤレス又は有線の媒体経由で通信するように構成される任意の他の適切な装置に組み入れられるとしてもよい。いくつかの局面において、ノードはワイヤレス・ノードである。例えば、そのようなワイヤレス・ノードは、有線の又はワイヤレスの通信リンクを介して、ネットワーク（例えば、インターネット又は携帯ネットワークのようなワイド・エリア・ネットワーク）のための又はへの接続性を提供するとしてもよい。
【００２１】
図１は、本開示の局面が使用できる、ワイヤレス通信システム１００の例を示す。ワイヤレス通信システム１００は、広帯域ワイヤレス通信システムとしてもよい。ワイヤレス通信システム１００は、それぞれが基地局１０４によってサービスされる多数のセル１０２に通信を提供するとしてもよい。基地局１０４は、ユーザ端末１０６と通信する固定されている局であるとしてもよい。基地局１０４は、代替的に、アクセスポイント、ＮｏｄｅＢ、又はいくつかの他の学術用語で呼ばれるとしてもよい。
【００２２】
図１は、システム１００にわたって分散される各種のユーザ端末１０６を描く。ユーザ端末１０６は、固定（すなわち、定常）され又は移動式としてもよい。ユーザ端末１０６は、代替的に、リモート局、アクセス端末、端末、加入者ユニット、モバイル局、局、ユーザ機器、などと呼ばれるとしてもよい。ユーザ端末１０６は、携帯電話、携帯情報端末（ＰＤＡ）、ハンドヘルド装置、ワイヤレス・モデム、ラップトップ・コンピュータ、パーソナル・コンピュータなどのようなワイヤレス装置としてもよい。
【００２３】
様々なアルゴリズム及び方法は、基地局104とユーザ端末１０６との間のワイヤレス通信システム１００において送信に使用されることができる。例えば、信号は、ＵＷＢ技術にしたがって、基地局１０４とユーザ端末１０６との間で送信され及び受信されるとしてもよい。この場合、ワイヤレス通信システム１００は、ＵＷＢシステムと呼ばれるとしてもよい。
【００２４】
基地局１０４からユーザ端末１０６への送信を促進する通信リンクは、ダウンリンク（ＤＬ）１０８と呼ばれてもよく、ユーザ端末１０６から基地局１０４への送信を促進する通信リンクは、アップリンク（ＵＬ）１１０と呼ばれてもよい。あるいは、ダウンリンク１０８は、フォワードリンク又はフォワードチャネルと呼ばれてもよく、アップリンク１１０は、リバースリンク又はリバースチャネルと呼ばれてもよい。
【００２５】
１つのセル１０２は、複数のセクタ１１２2に分割されてもよい。セクタ１１２は、セル１０２内の物理適用エリアである。ワイヤレス通信システム１００内の基地局１０４は、セル１０２の特定のセクタ１１２内のパワーの流れを集めるアンテナを利用してもよい。そのようなアンテナは、指向性アンテナと呼ばれてもよい。
【００２６】
図２は、ワイヤレス通信システム１００内で使用されることができるワイヤレス装置２０２に利用されることができる各種のコンポーネントを例示する。ワイヤレス装置２０２は、ここに記述された各種の方法を実行するように構成されることができる装置の例である。ワイヤレス装置２０２は、基地局１０４又はユーザ端末１０４としてもよい。
【００２７】
ワイヤレス装置２０２は、ワイヤレス装置２０２のオペレーションを制御するプロセッサ２０４を含むとしてもよい。プロセッサ２０４は、また、中央処理装置（ＣＰＵ）と呼ばれてもよい。読み取り専用メモリ（ＲＯＭ）とランダムアクセスメモリ（ＲＡＭ）との双方を含むとしてもよいメモリ２０６は、プロセッサ２０４に命令とデータを提供する。メモリ２０６の一部は、また、不揮発性ランダムアクセスメモリ（ＮＶＲＡＭ）を含むとしてもよい。プロセッサ２０４は、典型的には、メモリ２０６内に格納されたプログラム命令に基づいて論理及び算術オペレーションを実行する。メモリ２０６の命令は、ここに記述された方法を実現するために実行可能としてもよい。
【００２８】
ワイヤレス装置２０２は、また、トランスミッタ２１０及びレシーバ２１２を含むとしてもよいハウジング２０８を含むとしてもよく、ワイヤレス装置２０２と遠隔地との間のデータの送信及び受信を可能にする。トランスミッタ２１０及びレシーバ２１２は、トランシーバ２１４に組み合わされてもよい。アンテナ２１６は、ハウジング２０８に取り付けられてもよく、電気的にトランシーバ２１４に接続されるとしてもよい。ワイヤレス装置２０２は、また、（図示しない）複数のトランスミッタ、複数のレシーバ、複数のトランシーバ、及び／又は、複数のアンテナを含むとしてもよい。
【００２９】
ワイヤレス装置２０２は、また、トランシーバ２１４によって受信された信号のレベルを検出及び量化しようとして使用されることができる信号検出器２１８を含むとしてもよい。信号検出器２１８は、総エネルギー、シンボルごとのサブキャリアごとのエネルギー、パワースペクトル密度および他の信号のような信号を検出してもよい。ワイヤレス装置２０２は、また、信号の処理で使用されるデジタル・シグナル・プロセッサ（ＤＳＰ）２２０を含むとしてもよい。
【００３０】
ワイヤレス装置２０２の各種のコンポーネントは、バス・システム２２２によって互いに連結されるとしてもよく、バス・システム２２２はデータバスに加えてパワーバス、制御信号バスおよびステータス信号バスを含むとしてもよい。
【００３１】
図３は、ＵＷＢ、及び直交周波数分割多重又は直交周波数分割多元接続を利用するワイヤレス通信システム１００内で使用されることができるトランスミッタ３０２を例示する。トランスミッタ３０２の部分は、ワイヤレス装置２０２のトランスミッタ２１０に実装されるとしてもよい。トランスミッタ３０２は、ダウンリンク１０８でユーザ端末１０６へデータ３０６を送信するために、基地局１０４に実装されるとしてもよい。トランスミッタ３０２は、また、アップリンク１１０で基地局１０４へデータ３０６を送信するために、ユーザ端末１０６に実装されるとしてもよい。
【００３２】
送信されるデータ３０６は、シリアル／パラレル（Ｓ／Ｐ）変換器３０８への入力として提供されることが示されている。Ｓ／Ｐ変換器３０８は、また、Ｍ個の並列のデータ・ストリーム３１０に送信データを分割するとしてもよい。
【００３３】
次に、Ｍ個の並列のデータ・ストリーム３１０は、マッパ３１２への入力として提供されるとしてもよい。マッパ３１２は、Ｍ個のコンスタレーション・ポイント（信号点）に、Ｍ個の並列のデータ・ストリーム３１０をマップするとしてもよい。マッピングは、２相位相偏移キーイング（ＢＰＳＫ）、４位相偏移変調（ＱＰＳＫ）、８位相偏移変調（８ＰＳＫ）、直交振幅変調（ＱＡＭ）などのような、いずれかの変調コンスタレーションを使用して行われるとしてもよい。このように、マッパ３１２は、Ｍ個の並列のシンボル・ストリーム３１６を出力するとしてもよく、各シンボル・ストリーム３１６は、逆高速フーリエ変換（ＩＦＦＴ）３２０のＭ個の直交サブキャリアのうちの一つに対応する。これらのＭ個の並列のシンボル・ストリーム３１６は、周波数領域で表わされ、ＩＦＦＴコンポーネント３２０によってＭ個の並列の時間領域サンプル・ストリーム３１８へ変換されるとしてもよい。
【００３４】
用語に関する簡潔な注釈は今提供されるだろう。周波数領域におけるＭ個の並列の変調は周波数領域におけるＭ個の変調シンボルと等しく、周波数領域におけるＭ個の変調シンボルは周波数領域におけるＭ個のマッピング及びＭポイントのＩＦＦＴと等しく、周波数領域におけるＭ個のマッピング及びＭポイントのＩＦＦＴは時間領域におけるある（有効）ＯＦＤＭシンボルに等しく、時間領域におけるある（有効）ＯＦＤＭシンボルは時間領域におけるＭ個のサンプルに等しい。時間領域におけるあるＯＦＤＭシンボル、Ｎsは、Ｎcp（ＯＦＤＭシンボルごとのガード・サンプルの数）＋Ｍ（ＯＦＤＭシンボルごとの有効サンプルの数）と等しい。
【００３５】
Ｍ個の並列の時間領域サンプル・ストリーム３１８は、パラレル／シリアル（Ｐ／Ｓ）変換器３２４によってＯＦＤＭ／ＯＦＤＭＡシンボル・ストリーム３２２へ変換されるとしてもよい。ガード挿入コンポーネント３２６は、ＯＦＤＭ／ＯＦＤＭＡシンボル・ストリーム３２２における連続するＯＦＤＭ／ＯＦＤＭＡシンボル間のガード・インターバルを挿入するとしてもよい。次に、ガード挿入コンポーネント３２６の出力は、無線周波数（ＲＦ）フロント・エンド３２８によって所望の送信周波数バンドにアップコンバータで変換されるとしてもよい。次に、アンテナ３３０は、結果の信号３３２を送信するとしてもよい。
【００３６】
図３は、また、ＯＦＤＭ／ＯＦＤＭＡを利用するワイヤレス装置２０２内で使用されることができるレシーバ３０４の例を示す。レシーバ３０４の部分は、ワイヤレス装置２０２のレシーバ２１２に実装されるとしてもよい。レシーバ３０４は、ダウンリンク１０８で基地局１０４からデータ３０６を受信するためのユーザ端末１０６に実装されるとしてもよい。レシーバ３０４は、また、アップリンク１１０でユーザ端末１０６からデータ３０６を受信するための基地局１０４に実装されるとしてもよい。
【００３７】
送信された信号３３２は、ワイヤレス・チャネル３３４上をわたって伝わることが示される。信号３３２’がアンテナ３３０’によって受信された場合、受信された信号３３２’は、ＲＦフロント・エンド３２８’によってベースバンド信号にダウンコンバータで変換されるとしてもよい。次に、ガード除去コンポーネント３２６’は、ガード挿入コンポーネント３２６によってＯＦＤＭ／ＯＦＤＭＡシンボルの間に挿入されたガード・インターバルを除去するとしてもよい。
【００３８】
ガード除去コンポーネント３２６’の出力は、Ｓ／Ｐコンバータ３２４’に提供されるとしてもよい。Ｓ／Ｐ変換器３２４’は、ＯＦＤＭ／ＯＦＤＭＡシンボル・ストリーム３２２’をＭ個の並列の時間領域シンボル・ストリーム３１８’に分割してもよく、それぞれの時間領域シンボル・ストリーム３１８’は、Ｍ個の直交サブキャリアの１つに対応する。高速フーリエ変換（ＦＦＴ）コンポーネント３２０’は、Ｍ個の並列の時間領域シンボル・ストリーム３１８’を周波数領域に変換し、Ｍ個の並列の周波数領域シンボル・ストリーム３１６’を出力するとしてもよい。
【００３９】
デマッパ３１２’は、マッパ３１２によって実行されたシンボル・マッピング・オペレーションの逆を実行するとしてもよく、それによりＭ個の並列のデータ・ストリーム３１０’を出力する。Ｐ／Ｓ変換器３０８’は、Ｍ個の並列のデータ・ストリーム３１０’を組み合わせて、単一のデータ・ストリーム３０６’としてもよい。理想的には、このデータ・ストリーム３０６’は、トランスミッタ３０２に入力として提供されたデータ３０６に対応する。要素３０８’，３１０’，３１２’，３１６’，３２０’，３１８’及び３２４’がすべてベースバンド・プロセッサ３４０’に備えられるとしてもよいことに、注意すべきである。
【００４０】
図１に例示されるワイヤレスシステム１００は、ＩＥＥＥ８０２．１５．３ｃ標準をサポートするＵＷＢシステムを表すとしてもよい。ＩＥＥＥ８０２．１５．３ｃの仕様は、既存のＩＥＥＥ８０２．１５．３の代替として、ミリメートル波ベースのＰＨＹをサポートするように意図される。ミリメートル波ＷＰＡＮは、ＦＣＣ（Federal Communications Commission）によって指定された５７−６４ＧＨｚのライセンスされていないバンドを含む、新しくクリアなバンドにおいて動作すべきである。
【００４１】
論理チャネルへの広帯域チャネルの分割
ＩＥＥＥ８０２．１５．３ｃは、４つの広帯域チャネルのために備え、４つのピコネット・ネットワーク(すなわちピコネット)が同時に動作することを可能にする。ワイヤレスシステム１００のセル１０２は、ピコネットの一例としてもよく、ピコネットコントローラ（ＰＮＣ）１０４は、装置１０６と通信するとしてもよい。図４は、ＩＥＥＥ８０２．１５．３ｃで指定される４つの広帯域チャネルのそれぞれに対する低、中、及び高周波数を例示し、図５は、これらの広帯域チャネルの特定の周波数割り当てを例示する。広帯域チャネルは、複数のピコネットのデータ通信のために利用されることができる。広帯域チャネルは、特定のピコネット内のデータ通信のために利用されることができる。他方で、ピコネット内のマルチモードのオペレーションのためにコモンモードチャネルを特定することが必要とされてもよい。
【００４２】
本開示のある局面は、それぞれの広帯域チャネル内の複数の論理チャネルを使用することを提供する。論理チャネルはＩＥＥＥ８０２．１５．３ｃの仕様で定義されるのと同じ広帯域チャネルを利用するとしてもよく、しかし、それは、また、制御とシグナリングのために狭帯域チャネル(すなわち低データレート（ＬＤＲ）チャネル)を利用するとしてもよい。論理チャネルは、マルチモード・オペレーションのためのコモンモードとして機能するとしてもよい。例えば、ピコネット内のピコネット・コントローラ（ＰＮＣ）は、ビーコニング、アソシエーションのために、及びチャネル時間割り当て（ＣＴＡ）を指定するために、ＬＤＲ論理チャネルを使用することができる。ＣＴＡの内部で、複数の装置は、シングルチャネル・モード、ＯＦＤＭモード、又は他のモードを使用して通信するとしてもよい。
【００４３】
さらに、コンテンション・アクセス期間（ＣＡＰ）の間、ＬＤＲは、サブキャリア装置とＰＮＣとの間で、送信要求（request-to-send：ＲＴＳ）メッセージングに対して、及び受信準備完了（clear-to-send：ＣＴＳ）メッセージングに対して、使用されるとしてもよい。２つの装置は、標準の広帯域チャネルを使用すること、及び空間再利用におけるビームフォーミング又は指向性アンテナを使用することで、ＣＴＡ内又はＣＡＰ（例えば、８０２．１１のようなモードでＰＮＣに対するＣＴＳメッセージを受信した後）内で互いに通信するとしてもよい。
【００４４】
図６は、広帯域チャネルを狭帯域サブチャネルへ分割するため、及び狭帯域サブチャネルを利用するためのオペレーション６００の例を示す。６１０で、高帯域チャネルは、複数の狭帯域サブチャネルへ分割されるとしてもよい。続いて、６２０で、各狭帯域サブチャネルは、ピコネット内の異なるＰＮＣに対してささげられるとしてもよい。他方で、広帯域チャネルは、６３０で、データを交換するための複数のピコネットによる使用に割り当てられるとしてもよい。６４０で、広帯域チャネルは、複数のピコネットによってデータを交換するために利用されるとしてもよい。ある特定のピコネットは、６５０で、制御及びシグナリングも含むマルチモード・オペレーションのための広帯域チャネルに含まれる単一の狭帯域サブチャネルを利用するとしてもよい。
【００４５】
合計１２個の論理チャネルまでは、図４−５に例示される４つの広帯域チャネルに渡って使用されるとしてもよい。本開示の他の局面において、合計２０個の論理チャネルまでは、４つの広帯域チャネルに渡って使用されるとしてもよい。物理チャンネルの選択の分割は、本開示の範囲から外れずに使用されるとしてもよい。
【００４６】
図７は、２０個の論理チャネルを使用する局面における、論理チャネルの周波数割り当てを例示する。２１６０ＭＨｚの帯域幅を備えた各広帯域チャネルは、５個の論理チャネルに分割されるとしてもよく、それぞれは４３２ＭＨｚの分離を持つ。論理チャネルの中央周波数は、ｆ0として図７で分類され、低周波数は、ｆ0−Ｄf／２として分類され、低周波数は、ｆ0＋Ｄf／２として分類され、ここで、Ｄfは、論理チャネルの帯域幅であり、それは図７で定義されるすべての典型的な論理チャネルに対する４３２ＭＨｚと等しい。
【００４７】
本開示のある局面は、ピコネットを管理するある特定のＰＮＣに対して、２１６０ＭＨｚのチャネル分離（セパレーション）を持つ４つのＩＥＥＥ８０２．１５．３ｃの広帯域チャネルのうちの１つを割り当てるための方法をサポートする。複数のＰＮＣからの各ＰＮＣは、１つの広帯域チャネル内の複数の論理チャネルからの１つの論理狭帯域チャネルに割り当てられるとしてもよい。２０個の論理チャネル及び４個の広帯域チャネルまで使用する局面において、論理チャネルの間のチャネル分離は、４３２ＭＨｚとしてもよい。この特別な場合において、狭帯域チャネルの３ｄＢ（デシベル単位）帯域幅は、およそ２１６ＭＨｚとしてもよく、ここで、３ｄＢ帯域幅は、信号パワーがその最大値の２分の１以上である周波数の範囲として定義される。
【００４８】
図８は、図５に例示される複数の広帯域チャネルからの１つの広帯域チャネル８１０内の３つの狭帯域チャネル８１２，８１４及び８１６に対する周波数割り当ての例を示す。この特定の周波数割り当ては、３つの異なるＰＮＣ（すなわち、図８で例示されるような、ＰＮＣ１、ＰＮＣ２、及びＰＮＣ３）が、同じ広帯域チャネルを共有することを可能にするとしてもよく、フィルタリング・オペレーションのために、２１６ＭＨｚの３ｄＢ帯域幅を備える各狭帯域チャネルを提供するとしてもよい。
【００４９】
ピコネットにおけるＰＮＣは、ビーコニング及びアソシエーション手順を含むメディアアクセス制御（ＭＡＣ）コマンド・フレームに対するＬＤＲチャネルを使用するとしてもよい。ピコネットにおける加入者装置は、アソシエーション、ＣＴＡ期間をリクエストすること、及びＰＮＣを用いるすべてのシグナリングのためにＬＤＲチャネルを使用するとしてもよい。広帯域チャネルは、２つの装置の間、又は、ＰＮＣと少なくとも一つの装置との間のデータ送信のために各ＣＴＡ期間内に使用されるとしてもよい。肯定応答(すなわちＡＣＫ信号)は、広帯域チャネル又はＬＤＲチャネルを使用して送信されるとしてもよい。本開示のある局面において、複数のＰＮＣが、空間再利用を用いて同じ広帯域チャネルを使用することが可能となるように、ビームフォーミングが利用されるとしてもよい。同じ広帯域チャネルを使用する複数のＰＮＣは、互いに干渉することを避けるために、広帯域チャネルの内部の異なるＬＤＲを使用するとしてもよい。
【００５０】
低データレート・フレームのフォーマット
図９Ａは、低データレート（ＬＤＲ）チャネルのフレーム・フォーマットを例示する。ＬＤＲフレームは、プリアンブル９１０、ヘッダ９２０及びシグナリング・データ９３０を含むとしてもよい。ＬＤＲフレーム・コンポーネントの送信順序は、最初にプリアンブル・シーケンスを、ヘッダを後に続けて、その後シグナリング・データを送信することを必要としてもよい。
【００５１】
プリアンブル９１０は、チャネル推定シーケンス（ＣＥＳ）９１６、スタート・フレーム・デリミッタ（ＳＦＤ）シーケンス９１４、及びＳＹＮＣ（すなわち、同期）シーケンス９１２を含むとしてもよい。プリアンブル・コンポーネントの送信順序は、最初にＳＹＮＣを、ＳＦＤを後に続けて、その後ＣＥＳを送信することを必要としてもよい。ＣＥＳ９１６は、チャネル推定及び細かい周波数推定に使用されるとしてもよい。ＳＦＤ９１４は、ＳＹＮＣフィールド９１２の終わり及びＣＥＳフィールド９１６の始めを示すために使用されるとしてもよい。ＳＹＮＣフィールド９１２は、オートマティック・ゲイン・コントロール（ＡＧＣ）、ＤＣオフセット除去、パケット検出、粗い周波数推定、アンテナ・スイッチング、方向探知、細かい周波数推定及びチャネル推定に使用されてもよい。
【００５２】
図９Ｂは、図９Ａので例示されるＬＤＲフレーム９０２内のプリアンブル・フォーマットを例示する。予め決定されている長さを持つシーケンスｓは、トランスミッタ側の２５ｐｐｍ(parts per million単位)の周波数ドリフト、及びレシーバ側の２５ｐｐｍの周波数ドリフトを持つレシーバでコヒーレント整合フィルタリングを可能にするように、選ばれるとしてもよい。
【００５３】
典型的なシーケンスｓは、次のように与えられるとしてもよい。
【数１】
0005373085.tif 000002
【００５４】
式（１）からのシーケンスｓの周期的な自己相関関数は、−１の周期的な図１０に例示されるサイド・ローブ・レベルを持つとしてもよい。
【００５５】
本開示のある局面において、シーケンスｓは、さらに、整合的にも差異的にもどちらでも検出されることができるカバーコードを用いて拡散されてもよい。例えば、次のカバーコードが利用されてもよい。
【数２】
0005373085.tif 000003
【００５６】
特にこの場合において、図９Ｂに例示されるＳＹＮＣフィールド９１２は、長さ１９・７＝１３３サンプルのスーパーシーケンス［ｓ  −ｓ  ｓ  −ｓ  ｓ  ｓ  ｓ］の反復を含むとしてもよい。シーケンスｃは、整合的にも差異的にもどちらでも検出される場合に、擬似完全（すなわち、ほとんどゼロのサイド・ローブ・レベル）周期的自己相関関数を提供するように選択されるとしてもよい。
【００５７】
本開示のある局面において、ＳＦＤシーケンス９１４は、整合的にも差異的にもどちらでも正確に検出されるために、提供されるとしてもよい。例えば、これらの２つの条件を満たす長さ９のＳＦＤシーケンスは、式（１）からのシーケンスｓによって拡散されたシーケンス［−１  −１  −１  ＋１  −１  ＋１  −１  −１  ＋１］であるとしてもよい。
【００５８】
図１１は、整合的に検出されたＳＦＤと差異的に検出されたＳＦＤとに対する相関を例示及び比較する。双方の場合においてサイド・ローブの低いレベルが観察できる。本開示のある局面について、差異的な検出は、次の３つの可能性のうちの１つに関して整合フィルタを用いて行なわれるとしてもよい：
ＳＦＤ（２：９）．×ｃｏｎｊ［ＳＦＤ（１：８）］  又は
ＳＦＤ．×ｃｏｎｊ［ＳＹＮＣ（ｅｎｄ）  ＳＦＤ（１：８）］  又は
［ＳＦＤ  ＣＥＳ（１）］．×［ＳＹＮＣ（ｅｎｄ）  ＳＦＤ］。したがって、第１のケースでは、次の内積が行なわれるとしてもよい：ＳＦＤ（２）・ｃｏｎｊ｛ＳＦＤ（１）｝＋ＳＦＤ（３）・ｃｏｎｊ｛ＳＦＤ（２）｝＋…＋ＳＦＤ（９）・ｃｏｎｊ｛ＳＦＤ（８）｝。第２のケースでは、次の内積が行なわれるとしてもよい：ＳＦＤ（１）・ｃｏｎｊ｛ＳＦＤ（ｅｎｄ）｝＋ＳＦＤ（２）・ｃｏｎｊ｛ＳＦＤ（１）｝＋…＋ＳＦＤ（９）・ｃｏｎｊ｛ＳＦＤ（８）｝。第３のケースでは、次の内積が行なわれるとしてもよい：ＳＦＤ（１）・ｃｏｎｊ｛ＳＦＤ（ｅｎｄ）｝＋ＳＦＤ（２）・ｃｏｎｊ｛ＳＦＤ（１）｝＋…＋ＳＦＤ（８）・ｃｏｎｊ｛ＳＦＤ（７）｝＋ＣＥＳ（１）・ｃｏｎｊ｛ＳＦＤ（８）｝。
【００５９】
本開示のある局面において、図９Ａ−９Ｂで例示されるヘッダ９２０及びシグナリング・データ９３０は、次のように与えられる長さ１１のバーカー・コードｃによって拡散されるとしてもよい：
【数３】
0005373085.tif 000004
【００６０】
本開示のある局面について、ヘッダ及びシグナリング・データは、低密度パリティ・チェック（ＬＤＰＣ）コード、リード−ソロモン・コードを備えた連接ハミング・コード（１２，８）、又はリード−ソロモン・コードを備えた連接ブロック・コード（１６．８）のような、ブロック・コードを用いてエンコードされるとしてもよい。本開示のある局面において、次のシステマティック・ハミング・コード（１２，８）ジェネレータ・マトリックスが使用されるとしてもよい：
【数４】
0005373085.tif 000005
【００６１】
本開示の他の局面において、次のシステマティック・ブロック・コード（１６，８）ジェネレータ・マトリックスが使用されるとしてもよい：
【数５】
0005373085.tif 000006
【００６２】
本開示の局面が、差動位相偏移変調及びガウス型最小偏移変調を含むが限定はされない各種の変調スキームを使用できることは、認識されるべきである。
【００６３】
上に記述された方法の各種のオペレーションは、対応する機能を実行可能な任意の適切な手段によって実行されるとしてもよい。手段は、回路、特定用途向け集積回路（ＡＳＩＣ）、又はプロセッサを含むが限定はされない各種のハードウェア及び／又はソフトウェア・コンポーネント及び／又はモジュールを含むとしてもよい。一般に、図に例示されるオペレーションが存在する場所で、それらのオペレーションは、類似の番号を持つ対応する相当物の手段−プラス−機能のコンポーネントを持つとしてもよい。例えば、図６で例示されるブロック６１０−６５０は、図６Ａで例示される回路ブロック６１０Ａ−６５０Ａに対応する。
【００６４】
ここに使用されるように、用語「決定」は種々様々の行為を包含する。例えば、「決定」は、計算、算出、処理、導くこと、探索、調べること（例えば、テーブル、データベース、又は他のデータ構造において調べること）、確認することなどを含むとしてもよい。また、「決定」は、受信（例えば、情報の受信）、アクセスすること（メモリにおけるデータをアクセスすること）などを含むとしてもよい。また、「決定」は、解決、選択、選ぶこと、確立などを含むとしてもよい。
【００６５】
上述される方法の各種のオペレーションは、各種のハードウェア及び／又はソフトウェア・コンポーネント、回路、及び／又はモジュールのような、オペレーションを実行可能な任意の適切な手段によって実行されるとしてもよい。一般に、図で例示された任意のオペレーションは、オペレーションを実行可能な対応する機能的手段によって実行されるとしてもよい。
【００６６】
本開示に関連して記述された各種の例示の論理ブロック、モジュール及び回路は、汎用プロセッサ、デジタル・シグナル・プロセッサ（ＤＳＰ）、特定用途向け集積回路（ＡＳＩＣ）、フィールド・プログラマブル・ゲート・アレイ・シグナル（ＦＰＧＡ）又は他のプログラム可能論理デバイス（ＰＬＤ）、離散的ゲート又はトランジスタ・ロジック、離散的ハードウェア・コンポーネント、又はここに記述された機能を実行するために設計されたそれらの任意の組み合わせを用いて、実装又は実行されるとしてもよい。汎用プロセッサはマイクロプロセッサでもよく、しかし代替的には、プロセッサは任意の市販の利用可能なプロセッサ、コントローラ、マイクロ・コントローラ又はステート・マシンとしてもよい。プロセッサは、また、例えば、ＤＳＰとマイクロプロセッサとの組み合わせ、複数のマイクロプロセッサ、ＤＳＰコアに連携する１以上のマイクロプロセッサ、又は、任意の他のそのような構成として、実装されるとしてもよい。
【００６７】
本開示に関して記述された方法のステップ又はアルゴリズムは、ハードウェア、プロセッサによって実行されるソフトウェア・モジュール、２つの組み合わせにおいて直接的に具体化されるとしてもよい。ソフトウェア・モジュールは、その技術において知られた記憶媒体の任意の形式に属するとしてもよい。使用できる記憶媒体のいくつかの例は、ランダム・アクセス・メモリ（ＲＡＭ）、リード・オンリー・メモリ（ＲＯＭ）、フラッシュ・メモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一命令、又は多数の命令を含むとしてもよく、異なるプログラムの間、及び、複数の記憶媒体にわたって、いくつかの異なるコード・セグメントに配置されるとしてもよい。プロセッサが、記憶媒体から情報を読み出し、記憶媒体へ情報を書き込むことができるように、記憶媒体はプロセッサに連結される。代替的には、記憶媒体はプロセッサに統合されるとしてもよい。
【００６８】
ここに開示された方法は、記述された方法を達成するための１以上のステップ又は行為を含む。方法のステップ及び／又は行為は、請求項の範囲から外れることなく、互いに交換されるとしてもよい。言い換えれば、ステップ又は行為の特定の順序が特定されなければ、特定のステップ及び／又は行為の順序及び／又は使用は、請求項の範囲から外れることなく、修正されるとしてもよい。
【００６９】
記述された機能は、ハードウェア、ソフトウェア、ファームウェア、又はそれらの任意の組み合わせで実装されるとしてもよい。もしソフトウェアで実装されると、機能は、コンピュータ読み出し可能媒体上の１以上の命令として記憶される。記憶媒体は、コンピュータによってアクセスすることが可能な任意の利用可能メディアであるとしてもよい。限定ではなく例として、そのようなコンピュータ読み出し可能メディアは、ＲＡＭ、ＲＯＭ、ＥＥＰＲＯＭ、ＥＥＰＲＯＭ、ＣＤ−ＲＯＭ又は他の光学ディスク記憶装置、磁気ディスク記憶装置又は他の磁気記憶装置、又は、命令又はデータ構造の形式で所望のプログラム・コードが運ばれ又は記憶されるために使用でき、コンピュータによってアクセスできる、任意の他の媒体を含むことができる。ここに使用されるようなディスク（Ｄｉｓｋ）及びディスク（Ｄｉｓｃ）は、コンパクト・ディスク（ＣＤ）、レーザーディスク（登録商標）、光ディスク、ディジタル・バーサタイル・ディスク（ＤＶＤ）、フロッピー（登録商標）ディスク及びブルーレイ（登録商標）ディスクを含み、ディスク（ｄｉｓｋ）は通常時期的にデータを再生し、一方でディスク（ｄｉｓｃ）はレーザーを用いて光学的にデータを再生する。
【００７０】
したがって、ある局面は、ここで与えられたオペレーションを実行するためのコンピュータ・プログラム・プロダクトを含むとしてもよい。例えば、そのようなコンピュータ・プログラム・プロダクトは、そこに記憶される（及び／又はエンコードされる）命令を持つコンピュータ読み出し可能媒体を含むとしてもよく、命令は、１以上のプロセッサによって、ここに記述されたオペレーションを実行可能としてもよい。ある局面について、コンピュータ・プログラム・プロダクトは、包装材料を含んでいるとしてもよい。
【００７１】
ソフトウェア又は命令は、また、送信媒体を通して送信されるとしてもよい。例えば、もし、ソフトウェアが、同軸ケーブル、光ファイバ・ケーブル、ツイスト・ペア、デジタル加入者線（ＤＳＬ）、又は赤外線、無線、及びマイクロ波のようなワイヤレス技術を使用して、ウェブサイト、サーバ、又は他の遠隔源から送信される場合、同軸ケーブル、光ファイバ・ケーブル、ツイスト・ペア、ＤＳＬ、又は赤外線、無線、及びマイクロ波のようなワイヤレス技術は、送信媒体の定義に含まれる。
【００７２】
さらに、ここに記述された方法と技術を実行するためのモジュール及び／又は他の適切な手段がダウンロードでき、及び／又は、そうでなければ、適用可能としてユーザ端末及び／又は基地局によって取得できることは、認識されるべきである。例えば、そのような装置は、ここに記述された方法を実行するための手段の転送を促進するためにサーバ連結されることができる。代替的には、ユーザ端末及び／又は基地局が、装置に対して記憶手段を連結又は提供することで各種の方法を得ることができるように、ここに記述された各種の方法は、記憶手段（例えば、ＲＡＭ、ＲＯＭ、コンパクト・ディスク（ＣＤ）又はフロッピー・ディスクなどのような物理的記憶媒体）を通じて提供されることができる。さらに、装置に対してここに記述された方法及び技術を提供するための任意の他の適切な技術が、利用できるとしてもよい。
【００７３】
請求項が、上で例示された正確な構成及びコンポーネントに限定されないことは、理解される。各種の変更、変化及びバリエーションは、請求項の範囲から外れることなく、上に記述された方法と装置の配置、オペレーション及び詳細のうちで行なわれるとしてもよい。
【００７４】
ここに提供される技術は、各種の適用で利用されるとしてもよい。ある局面について、ここに与えられた技術は、ここで提供された技術を実行するための処理ロジック及び要素を持つアクセスポイント、アクセス端末、携帯情報端末（ＰＤＡ）、携帯用ハンドセット、又は他のタイプのワイヤレス装置に組み込まれるとしてもよい。
以下に、本願出願の当初の特許請求の範囲に記載された発明を付記する。
［１］
第１のピコネット内のデータを通信するための広帯域チャネルを利用することであり、前記広帯域チャネルは前記第１のピコネットを具備する複数のピコネットによる使用に割り当てられる、ことと、
制御情報を通信するために、前記広帯域チャネルに含まれる狭帯域サブチャネルを利用することであり、前記狭帯域サブチャネルは前記第１のピコネットにおける制御情報を通信するためにささげられる、ことと
を具備する、ワイヤレス通信のための方法。
［２］
前記広帯域チャネルに含まれる複数の狭帯域サブチャネルからの各狭帯域サブチャネルは、独自のピコネットによる使用にささげられる、［１］の方法。
［３］
前記広帯域チャネルに含まれる前記狭帯域サブチャネルは、論理チャネルを具備し、
前記狭帯域サブチャネルを利用することは、ビーコニング、アソシエーション、チャネル時間割り当て（ＣＴＡ）及びメディア・アクセス制御（ＭＡＣ）コマンド・メッセージを通信することのために、前記第１のピコネットにおけるピコネット・コントローラ（ＰＮＣ）によって前記論理チャネルを利用することを具備する、［１］の方法。
［４］
前記広帯域チャネルに含まれる前記狭帯域サブチャネルは、論理チャネルを具備し、
前記狭帯域サブチャネルを利用することは、アソシエーション、チャネル時間割り当て（ＣＴＡ）期間をリクエストすること、及び前記第１のピコネットにおけるピコネット・コントローラ（ＰＮＣ）と信号で通信することのために、前記第１のピコネットにおける装置によって前記論理チャネルを利用することを具備する、［１］の方法。
［５］
前記装置によって前記論理チャネルを利用することは、単一キャリア・モードを使用して、前記ＣＴＡ期間内に前記第１のピコネットにおける他の装置と通信することを具備する、［４］の方法。
［６］
前記装置によって前記論理チャネル利用することは、直交周波数分割多重（ＯＦＤＭ）モードを使用して、前記ＣＴＡ期間内に前記第１のピコネットにおける他の装置と通信することを具備する、［４］の方法。
［７］
前記広帯域チャネルに含まれる前記狭帯域サブチャネルは、論理チャネルを具備し、
前記狭帯域サブチャネルを利用することは、前記論理チャネルを通じて、プリアンブル・シーケンス、ヘッダ及びシグナリング・データを具備するフレームを送信することを具備する、［１］の方法。
［８］
前記プリアンブル・シーケンスは、チャネル推定シーケンス（ＣＥＳ）、スタート・フレーム・デリミッタ（ＳＦＤ）、及び同期（ＳＹＮＣ）シーケンスを具備する、［７］の方法。
［９］
前記ＳＦＤシーケンス及び前記ＳＹＮＣシーケンスは、拡散コードによって拡散される、［８］の方法。
［１０］
前記ヘッダ及び前記シグナリング・データは、拡散コードによって拡散される、［７］の方法。
［１１］
前記ヘッダ及び前記シグナリング・データは、ブロック・コードを用いてエンコードされる、［７］の方法。
［１２］
前記広帯域チャネルは、およそ２１６０ＭＨｚの帯域幅を持ち、５個の狭帯域サブチャネルを具備し、
各狭帯域サブチャネルは、およそ４３２ＭＨｚの前記広帯域チャネル内の分離を持つ、［１］の方法。
［１３］
前記広帯域チャネルは、およそ２１６０ＭＨｚの帯域幅を持ち、３個の狭帯域サブチャネルを具備し、
各狭帯域サブチャネルは、およそ２１６ＭＨｚの３ｄＢ帯域を持つ、［１］の方法。
［１４］
第１のピコネット内のデータを通信するための広帯域チャネルを利用するように構成され、前記広帯域チャネルは前記第１のピコネットを具備する複数のピコネットによる使用に割り当てられる、回路と、
制御情報を通信するために、前記広帯域チャネルに含まれる狭帯域サブチャネルを利用するように構成され、前記狭帯域サブチャネルは前記第１のピコネットにおける制御情報を通信するためにささげられる、回路と
を具備する、ワイヤレス通信のための装置。
［１５］
前記広帯域チャネルに含まれる複数の狭帯域サブチャネルからの各狭帯域サブチャネルは、独自のピコネットによる使用にささげられる、［１４］の装置。
［１６］
前記広帯域チャネルに含まれる前記狭帯域サブチャネルは、論理チャネルを具備し、
前記狭帯域サブチャネルを利用するように構成された前記回路は、ビーコニング、アソシエーション、チャネル時間割り当て（ＣＴＡ）及びメディア・アクセス制御（ＭＡＣ）コマンド・メッセージを通信することのために、前記第１のピコネットにおけるピコネット・コントローラ（ＰＮＣ）によって前記論理チャネルを利用するように構成された回路を具備する、［１４］の装置。
［１７］
前記広帯域チャネルに含まれる前記狭帯域サブチャネルは、論理チャネルを具備し、
前記狭帯域サブチャネルを利用するように構成された前記回路は、アソシエーション、チャネル時間割り当て（ＣＴＡ）期間をリクエストすること、及び前記第１のピコネットにおけるピコネット・コントローラ（ＰＮＣ）と信号で通信することのために、前記第１のピコネットにおける装置によって前記論理チャネルを利用することを具備するように構成された回路を具備する、［１４］の装置。
［１８］
前記装置によって前記論理チャネルを利用するように構成された前記回路は、単一キャリア・モードを使用して、前記ＣＴＡ期間内に前記第１のピコネットにおける他の装置と通信するように構成された回路を具備する、［１７］の装置。
［１９］
前記装置によって前記論理チャネル利用するように構成された前記回路は、直交周波数分割多重（ＯＦＤＭ）モードを使用して、前記ＣＴＡ期間内に前記第１のピコネットにおける他の装置と通信するように構成された回路を具備する、［１７］の装置。
［２０］
前記広帯域チャネルに含まれる前記狭帯域サブチャネルは、論理チャネルを具備し、
前記狭帯域サブチャネルを利用するように構成された回路は、前記論理チャネルを通じて、プリアンブル・シーケンス、ヘッダ及びシグナリング・データを具備するフレームを送信するように構成されたトランスミッタを具備する、［１４］の装置。
［２１］
前記プリアンブル・シーケンスは、チャネル推定シーケンス（ＣＥＳ）、スタート・フレーム・デリミッタ（ＳＦＤ）、及び同期（ＳＹＮＣ）シーケンスを具備する、［２０］の装置。
［２２］
前記ＳＦＤシーケンス及び前記ＳＹＮＣシーケンスは、拡散コードによって拡散される、［２１］の装置。
［２３］
前記ヘッダ及び前記シグナリング・データは、拡散コードによって拡散される、［２０］の装置。
［２４］
前記ヘッダ及び前記シグナリング・データは、ブロック・コードを用いてエンコードされる、［２０］の装置。
［２５］
前記広帯域チャネルは、およそ２１６０ＭＨｚの帯域幅を持ち、５個の狭帯域サブチャネルを具備し、
各狭帯域サブチャネルは、およそ４３２ＭＨｚの前記広帯域チャネル内の分離を持つ、［１４］の装置。
［２６］
前記広帯域チャネルは、およそ２１６０ＭＨｚの帯域幅を持ち、３個の狭帯域サブチャネルを具備し、
各狭帯域サブチャネルは、およそ２１６ＭＨｚの３ｄＢ帯域を持つ、［１４］の装置。
［２７］
第１のピコネット内のデータを通信するための広帯域チャネルを利用し、前記広帯域チャネルは前記第１のピコネットを具備する複数のピコネットによる使用に割り当てられる、ための手段と、
制御情報を通信するために、前記広帯域チャネルに含まれる狭帯域サブチャネルを利用し、前記狭帯域サブチャネルは前記第１のピコネットにおける制御情報を通信するためにささげられる、ための手段と
を具備する、ワイヤレス通信のための装置。
［２８］
前記広帯域チャネルに含まれる複数の狭帯域サブチャネルからの各狭帯域サブチャネルは、独自のピコネットによる使用にささげられる、［２７］の装置。
［２９］
前記広帯域チャネルに含まれる前記狭帯域サブチャネルは、論理チャネルを具備し、
前記狭帯域サブチャネルを利用するための前記手段は、ビーコニング、アソシエーション、チャネル時間割り当て（ＣＴＡ）及びメディア・アクセス制御（ＭＡＣ）コマンド・メッセージを通信することのために、前記第１のピコネットにおけるピコネット・コントローラ（ＰＮＣ）によって前記論理チャネルを利用するための手段を具備する、［２７］の装置。
［３０］
前記広帯域チャネルに含まれる前記狭帯域サブチャネルは、論理チャネルを具備し、
前記狭帯域サブチャネルを利用するための前記手段は、アソシエーション、チャネル時間割り当て（ＣＴＡ）期間をリクエストすること、及び前記第１のピコネットにおけるピコネット・コントローラ（ＰＮＣ）と信号で通信することのために、前記第１のピコネットにおける装置によって前記論理チャネルを利用するための手段を具備する、［２７］の装置。
［３１］
前記装置によって前記論理チャネルを利用するための前記手段は、単一キャリア・モードを使用して、前記ＣＴＡ期間内に前記第１のピコネットにおける他の装置と通信するための手段を具備する、［３０］の装置。
［３２］
前記装置によって前記論理チャネル利用するための前記手段は、直交周波数分割多重（ＯＦＤＭ）モードを使用して、前記ＣＴＡ期間内に前記第１のピコネットにおける他の装置と通信するための手段を具備する、［３０］の装置。
［３３］
前記広帯域チャネルに含まれる前記狭帯域サブチャネルは、論理チャネルを具備し、
前記狭帯域サブチャネルを利用するための前記手段は、前記論理チャネルを通じて、プリアンブル・シーケンス、ヘッダ及びシグナリング・データを具備するフレームを送信するための手段を具備する、［２７］の装置。
［３４］
前記プリアンブル・シーケンスは、チャネル推定シーケンス（ＣＥＳ）、スタート・フレーム・デリミッタ（ＳＦＤ）、及び同期（ＳＹＮＣ）シーケンスを具備する、［３３］の装置。
［３５］
前記ＳＦＤシーケンス及び前記ＳＹＮＣシーケンスは、拡散コードによって拡散される、［３４］の装置。
［３６］
前記ヘッダ及び前記シグナリング・データは、拡散コードによって拡散される、［３３］の装置。
［３７］
前記ヘッダ及び前記シグナリング・データは、ブロック・コードを用いてエンコードされる、［３３］の装置。
［３８］
前記広帯域チャネルは、およそ２１６０ＭＨｚの帯域幅を持ち、５個の狭帯域サブチャネルを具備し、
各狭帯域サブチャネルは、およそ４３２ＭＨｚの前記広帯域チャネル内の分離を持つ、［２７］の装置。
［３９］
前記広帯域チャネルは、およそ２１６０ＭＨｚの帯域幅を持ち、３個の狭帯域サブチャネルを具備し、
各狭帯域サブチャネルは、およそ２１６ＭＨｚの３ｄＢ帯域を持つ、［２７］の装置。
［４０］
第１のピコネット内でデータを通信するための広帯域チャネルを利用し、前記広帯域チャネルは前記第１のピコネットを具備する複数のピコネットによる使用に割り当てられる、ことと、
制御情報を通信するために、前記広帯域チャネルに含まれる狭帯域サブチャネルを利用し、前記狭帯域サブチャネルは前記第１のピコネットにおける制御情報を通信するためにささげられる、ことと
を実行可能な命令を持つエンコードされたコンピュータ読み出し可能媒体を具備する、ワイヤレス通信のためのコンピュータ・プログラム・プロダクト。
［４１］
少なくとも一つのアンテナと、
第１のピコネット内で、前記少なくとも一つのアンテナを介してデータを送信するための広帯域チャネルを利用するように構成され、前記広帯域チャネルは前記第１のピコネットを具備する複数のピコネットによる使用に割り当てられる、トランスミッタと、
前記少なくとも一つのアンテナを介して制御情報を送信するために、前記広帯域チャネルに含まれる狭帯域サブチャネルを利用するように構成され、前記狭帯域サブチャネルは前記第１のピコネットにおける制御情報を通信するためにささげられる、回路と
を具備する、アクセスポイント。
［４２］
少なくとも一つのアンテナと、
第１のピコネット内で、前記少なくとも一つのアンテナを介してデータを受信するための広帯域チャネルを利用するように構成され、前記広帯域チャネルは前記第１のピコネットを具備する複数のピコネットによる使用に割り当てられる、レシーバと、
前記少なくとも一つのアンテナを介して制御情報を受信するために、前記広帯域チャネルに含まれる狭帯域サブチャネルを利用するように構成され、前記狭帯域サブチャネルは前記第１のピコネットにおける制御情報を通信するためにささげられる、回路と
を具備する、アクセス端末。
【図１】
0005373085.tif 000007
【図２】
0005373085.tif 000008
【図３】
0005373085.tif 000009
【図４】
0005373085.tif 000010
【図５】
0005373085.tif 000011
【図６】
0005373085.tif 000012
【図６Ａ】
0005373085.tif 000013
【図７】
0005373085.tif 000014
【図８】
0005373085.tif 000015
【図９Ａ】
0005373085.tif 000016
【図９Ｂ】
0005373085.tif 000017
【図１０】
0005373085.tif 000018
【図１１】
0005373085.tif 000019